(57)【要約】【課題】光回線終端装置向け集積回路を用いずに光ＴＤＭＡ方式の通信を行うこと。【解決手段】複数の送信装置が時分割多元接続方式により光バースト信号を受信装置へ送信する光アクセスシステムにおける前記送信装置は、要求元の命令に基づいて、データ信号の送信処理を制御するための第１命令を出力するデータ信号送信命令部と、前記要求元の命令に基づいて、光信号の出力処理を制御するための第２命令を出力する光信号制御命令部と、前記第１命令が出力されるタイミングと前記第２命令が出力されるタイミングとを調整する命令出力調整部と、を有する演算処理部を備える。【選択図】図２
2019153889.tif 000002
【特許請求の範囲】
【請求項１】
複数の送信装置が時分割多元接続方式により光バースト信号を受信装置へ送信する光アクセスシステムにおける前記送信装置であって、
要求元の命令に基づいて、データ信号の送信処理を制御するための第１命令を出力するデータ信号送信命令部と、
前記要求元の命令に基づいて、光信号の出力処理を制御するための第２命令を出力する光信号制御命令部と、
前記第１命令が出力されるタイミングと前記第２命令が出力されるタイミングとを調整する命令出力調整部と、
を有する演算処理部
を備える送信装置。
【請求項２】
イーサネット（登録商標）として通信を実現するイーサネットコントローラ
をさらに備え、
前記イーサネットコントローラは、
前記光信号制御命令部から出力された前記第２命令を取得し、前記第２命令に基づいて光信号送受信器による前記光信号の出力処理を制御する光信号出力制御部
を備える請求項１に記載の送信装置。
【請求項３】
前記演算処理部は、
前記光信号制御命令部から出力された前記第２命令を取得し、前記第２命令に基づいて光信号送受信器による前記光信号の出力処理を制御する光信号出力制御部
をさらに備える請求項１に記載の送信装置。
【請求項４】
イーサネット（登録商標）として通信を実現するイーサネットコントローラと、
前記イーサネットコントローラとは異なる制御回路と、
をさらに備え、
前記制御回路は、
前記光信号制御命令部から出力された前記第２命令を取得し、前記第２命令に基づいて光信号送受信器による前記光信号の出力処理を制御する光信号出力制御部
をさらに備える請求項１に記載の送信装置。
【請求項５】
複数の送信装置が時分割多元接続方式により光バースト信号を受信装置へ送信する光アクセスシステムにおける前記送信装置による送信方法であって、
要求元の命令に基づいて、データ信号の送信処理を制御するための第１命令を出力するデータ信号送信命令ステップと、
前記要求元の命令に基づいて、光信号の出力処理を制御するための第２命令を出力する光信号制御命令ステップと、
前記第１命令が出力されるタイミングと前記第２命令が出力されるタイミングとを調整する命令出力調整ステップと、
を有する送信方法。
【発明の詳細な説明】
【技術分野】
【０００１】
本発明は、送信装置及び送信方法に関する。
【背景技術】
【０００２】
Ｅｔｈｅｒｎｅｔ（イーサネット）（登録商標）は、世界的に使用されている有線ネットワークプロトコルであり、多くの標準的なネットワーク機器によって用いられている。その中でも、光伝送技術を適用した、物理層を光インターフェイスで規定しているＥｔｈｅｒｎｅｔ（登録商標）は、専らＰ２Ｐ（ポイント・ツー・ポイント）方式の通信において用いられており、長距離高速通信を可能にするインターフェイスとして普及している（非特許文献１〜４参照）。
【０００３】
複数のネットワーク機器を収容する、特に長距離伝送を行うアクセスネットワークにおいて、上記Ｐ２Ｐのネットワークトポロジを用いた場合、光ファイバの敷設コスト及び局内装置の占有面積が増加する。そこで、光ファイバと局内光回線終端装置を複数の宅内光回線終端装置で共有することによって光ファイバの敷設コストと局内装置の占有面積を削減することができる、ＰＯＮ（Passive Optical Network）トポロジを用いたＰ２ＭＰ（ポイント・ツー・マルチポイント）方式の通信システムがアクセスネットワークに用いられている。このＰＯＮトポロジを用いたＰ２ＭＰ方式の通信システムの構成は、ＩＥＥＥ（Institute of Electrical and Electronics Engineers）によって規定されている（非特許文献５参照）。
【０００４】
ＰＯＮトポロジでＰ２ＭＰ方式の通信を行うためには、局側のネットワーク機器が、複数の加入者側のネットワーク機器端末から送信される光信号を独立して受信することができなければならない。これを実現するための通信方式の一つとして、光ＴＤＭＡ（Time Division Multiple Access；時分割多元接続）方式がある。光ＴＤＭＡ方式では、加入者側の各ネットワーク機器がそれぞれデータ信号を送信するときのみに光信号を送信することによって、局側のネットワーク機器は、加入者側の各ネットワーク機器から送信される光信号をそれぞれ独立して受信することができる。
【０００５】
光ＴＤＭＡ方式の通信を実現するための技術として、データ信号の光バースト送信技術がある。データ信号の光バースト送信は、以下の３つの機能の組み合わせによって実現される。
・光信号の間欠的な送信（光バースト送信）を命令されたタイミングに応じて制御する光信号制御機能。
・データ信号の間欠的な送信を命令されたタイミングに応じて制御するデータ信号送信制御機能。
・光信号制御機能及び送信制御機能の実行タイミングを調整することによってデータ信号の光バースト送信を実現するバースト送信タイミング制御機能。
一般に、これら３つの機能は、ＰＯＮ専用装置である光回線終端装置内の光回線終端装置向け集積回路に実装されている。
【０００６】
従来技術における、ネットワーク機器をＰＯＮトポロジで接続した場合のネットワーク構成を図６に示す。また、従来技術における、宅内光回線終端装置を含む加入者側のネットワーク機器類の最も簡素な構成を図７に示す。
【０００７】
図６に示すように、加入者側のネットワーク装置であるネットワーク装置７０と局側のネットワーク装置であるネットワーク装置８０とは、加入者側のネットワークインターフェイス７１、宅内光回線終端装置７２、光分岐部７５、局内光回線終端装置８２及び局側のネットワークインターフェイス８１を介して接続される。
【０００８】
以下、図６及び図７に示すネットワーク構成によって、加入者側のネットワーク装置７０が、宅内光回線終端装置７２を介して局側のネットワーク装置８０へ向けて、Ｐ２ＭＰ方式によるデータ信号の光バースト送信を行う際の送信手順について説明する。
【０００９】
図７に示すように、ネットワーク装置７０において、演算処理部７００による制御のもと、入出力部７０１は、ネットワークインターフェイス７１の入出力部７１１へ、データを送信する。入出力部７１１は、入出力部７０１から送信されたデータを受信し、受信したデータをイーサネットコントローラ７１２へ出力する。イーサネットコントローラ７１２は、入出力部７１１から送信されたデータを取得し、取得したデータに対して、宛先ＭＡＣ（Media Access Control）アドレス及び送信元ＭＡＣアドレス等のＥｔｈｅｒｎｅｔ（登録商標）ヘッダを付与する。イーサネットコントローラ７１２は、Ｅｔｈｅｒｎｅｔ（登録商標）ヘッダを付与したデータを、電気信号であるデータ信号として、信号送受信部７１３へ出力する。信号送受信部７１３は、イーサネットコントローラ７１２から出力されたデータ信号を取得し、取得したデータ信号を宅内光回線終端装置７２の信号送受信部７２１へ送信する。
【００１０】
信号送受信部７２１は、信号送受信部７１３から送信されたデータ信号を受信し、受信したデータ信号をＯＮＵ−ＬＳＩ７２２（Optical Network Unit Large Scale Integration；宅内光回線終端装置向け集積回路）へ出力する。ＯＮＵ−ＬＳＩ７２２は、信号送受信部７２１から出力されたデータ信号を取得し、取得したデータ信号に対してＰＯＮ通信向けにデータ処理を施す。ＯＮＵ−ＬＳＩ７２２は、データ処理を施したデータ信号を、データ信号送信命令部７２３によって光信号送受信器７２５のデータ信号送信部７２６へ出力する。また、ＯＮＵ−ＬＳＩ７２２は、ネットワーク装置８０へ向けて送信する光信号の送信を制御するための命令（光信号制御命令）を、光信号制御命令部７２４によって光信号送受信器７２５の光信号制御部７２７へ出力する。ＯＮＵ−ＬＳＩ７２２は、データ信号送信命令部７２３からデータ信号送信部７２６へデータ信号を出力するタイミングに合わせて、上記の光信号制御命令を、光信号制御命令部７２４から光信号制御部７２７へ出力する。
【００１１】
光信号制御部７２７は、光信号制御命令部７２４から送信された光信号制御命令に応じて、ネットワーク装置８０へ向けた光信号の送信を実行する。具体的には、光信号制御部７２７は、データ信号送信部７２６がデータ信号送信命令部７２３から取得したデータ信号（電気信号）の０及び１の値に基づいて、光パルスのＯＮ（オン）／ＯＦＦ（オフ）の切り替えを行うことによってネットワーク装置８０へ向けて光信号を送信する。上記の構成によって、ネットワーク装置７０から出力されたデータは、宅内光回線終端装置７２によって光バースト信号として、ネットワーク装置８０へ送信される。
【先行技術文献】
【非特許文献】
【００１２】
【非特許文献１】"IEEE Standard for Ethernet SECTION1", IEEE Std 802.3TM-2015", IEEE Computer Society, pp.54-169, 2015年
【非特許文献２】"IEEE Standard for Ethernet SECTION3", IEEE Std 802.3TM-2015", IEEE Computer Society, pp.16-174, 2015年
【非特許文献３】"IEEE Standard for Ethernet SECTION4", IEEE Std 802.3TM-2015", IEEE Computer Society, pp.38-564, 2015年
【非特許文献４】"IEEE Standard for Ethernet SECTION6", IEEE Std 802.3TM-2015", IEEE Computer Society, pp.77-586, 2015年
【非特許文献５】"IEEE Standard for Ethernet SECTION5", IEEE Std 802.3TM-2015", IEEE Computer Society, pp.35-386, 2015年
【発明の概要】
【発明が解決しようとする課題】
【００１３】
ところで、データ信号の光バースト送信を実現する光回線終端装置向け集積回路（上記ＯＮＵ−ＬＳＩ７２２）は、一般に、イーサネットコントローラ７１２のような標準的なネットワーク機器と比べて流通量が少なく、入手性が低い。そのため、複数の加入者側のネットワーク装置をＰＯＮトポロジで接続したネットワーク構成における光ＴＤＭＡ方式の通信を、光回線終端装置向け集積回路を用いずに実現することが望まれる。しかしながら、従来のネットワーク構成において光回線終端装置向け集積回路を用いない場合、光バースト送信を実行することができないため、複数の加入者側のネットワーク装置から送信された光信号が、光信号合波点において衝突する。これにより、局側のネットワーク装置は光信号を正常に受信することができない。すなわち、光ＴＤＭＡ方式の通信は、Ｐ２Ｐ通信向けに設計された集積回路（例えば、標準的なネットワーク装置に具備されているイーサネットコントローラ）のみでは実現することができないという課題があった。
【００１４】
本発明は、このような事情を考慮してなされたものであり、光回線終端装置向け集積回路を用いずに光ＴＤＭＡ方式の通信を行うことができる送信装置及び送信方法を提供することを目的とする。
【課題を解決するための手段】
【００１５】
本発明の一態様は、複数の送信装置が時分割多元接続方式により光バースト信号を受信装置へ送信する光アクセスシステムにおける前記送信装置であって、要求元の命令に基づいて、データ信号の送信処理を制御するための第１命令を出力するデータ信号送信命令部と、前記要求元の命令に基づいて、光信号の出力処理を制御するための第２命令を出力する光信号制御命令部と、前記第１命令が出力されるタイミングと前記第２命令が出力されるタイミングとを調整する命令出力調整部と、を有する演算処理部を備える送信装置である。
【００１６】
また、本発明の一態様は、上記の送信装置であって、イーサネット（登録商標）として通信を実現するイーサネットコントローラをさらに備え、前記イーサネットコントローラは、前記光信号制御命令部から出力された前記第２命令を取得し、前記第２命令に基づいて光信号送受信器による前記光信号の出力処理を制御する光信号出力制御部を備える。
【００１７】
また、本発明の一態様は、上記の送信装置であって、前記演算処理部は、前記光信号制御命令部から出力された前記第２命令を取得し、前記第２命令に基づいて光信号送受信器による前記光信号の出力処理を制御する光信号出力制御部をさらに備える。
【００１８】
また、本発明の一態様は、上記の送信装置であって、イーサネット（登録商標）として通信を実現するイーサネットコントローラと、前記イーサネットコントローラとは異なる制御回路と、をさらに備え、前記制御回路は、前記光信号制御命令部から出力された前記第２命令を取得し、前記第２命令に基づいて光信号送受信器による前記光信号の出力処理を制御する光信号出力制御部を備える。
【００１９】
また、本発明の一態様は、複数の送信装置が時分割多元接続方式により光バースト信号を受信装置へ送信する光アクセスシステムにおける前記送信装置による送信方法であって、要求元の命令に基づいて、データ信号の送信処理を制御するための第１命令を出力するデータ信号送信命令ステップと、前記要求元の命令に基づいて、光信号の出力処理を制御するための第２命令を出力する光信号制御命令ステップと、前記第１命令が出力されるタイミングと前記第２命令が出力されるタイミングとを調整する命令出力調整ステップと、を有する送信方法である。
【発明の効果】
【００２０】
本発明によれば、光回線終端装置向け集積回路を用いずに光ＴＤＭＡ方式の通信を行うことができる。
【図面の簡単な説明】
【００２１】
【図１】第１の実施形態に係る通信システムの全体構成図である。
【図２】第１の実施形態に係る通信システムの加入者側のネットワーク装置の機能構成を示すブロック図である。
【図３】第１の実施形態に係る通信システムの加入者側のネットワーク装置の動作を示すフローチャートである。
【図４】第２の実施形態に係る通信システムの加入者側のネットワーク装置の機能構成を示すブロック図である。
【図５】第３の実施形態に係る通信システムの加入者側のネットワーク装置の機能構成を示すブロック図である。
【図６】従来技術における、ネットワーク機器をＰＯＮトポロジで接続した場合のネットワーク構成を示す図である。
【図７】従来技術における、宅内光回線終端装置を含む加入者側のネットワーク機器類の最も簡素な構成を示す図である。
【発明を実施するための形態】
【００２２】
＜第１の実施形態＞
以下、本発明の第１の実施形態について、図面を参照しながら説明する。
【００２３】
［通信システムの全対構成］
以下、通信システムの全体構成について説明する。図１は、第１の実施形態に係る通信システム１の全体構成図である。図１に示すように、通信システム１は、複数のネットワーク装置１０と、単一のネットワーク装置２０と、を含んで構成される。通信システム１は、複数のネットワーク装置１０と、単一のネットワーク装置２０と、をＰＯＮトポロジで接続するネットワークシステムである。複数のネットワーク装置１０と単一のネットワーク装置２０とは、それぞれ光分岐部１５を介して通信接続する。
【００２４】
なお、ネットワーク装置１０は加入者側の宅内に設置されるネットワーク装置であり、ネットワーク装置２０は、局側の施設内に設置されるネットワーク装置であるものとする。但し、ネットワーク装置１０及びネットワーク装置２０が設置される施設はこれに限られるものではなく、任意の施設であって構わない。
【００２５】
［加入者側ネットワーク装置の機能構成］
以下、加入者側ネットワーク装置の機能構成について説明する。図２は、第１の実施形態に係る通信システム１の加入者側のネットワーク装置１０の機能構成を示すブロック図である。図２に示すように、ネットワーク装置１０は、演算処理部１１と、イーサネットコントローラ１２と、光信号送受信器１３と、を含んで構成される。
【００２６】
演算処理部１１は、例えば、ＣＰＵ（Central Processing Unit；中央演算処理装置）等のプロセッサを含んで構成される。図２に示すように、演算処理部１１は、バースト送信命令部１１１と、データ信号送信命令部１１２と、光信号制御命令部１１３と、を含んで構成される。
【００２７】
イーサネットコントローラ１２は、ネットワークインターフェイスやネットワーク機器に実装される集積回路である。イーサネットコントローラ１２は、Ｅｔｈｅｒｎｅｔ（登録商標）におけるＰＨＹ層（物理層）とＭＡＣ層のプロトコルを処理する機能を有する。但し、イーサネットコントローラ１２は、ＭＰＣＰ（Multipoint MAC CONTROL）層のプロトコルを処理する機能は有していないものとする。図２に示すように、イーサネットコントローラ１２は、光信号出力制御部１２１を含んで構成される。
【００２８】
光信号送受信器１３は、電気信号を光信号として出力することができるＰＭＤ（Physical Media Dependent；物理媒体依存部）の機能を有する機器である。光信号送受信器１３は、例えば、ＳＦＰ（Small Form-factor Pluggable/Mini-GBIC）又はＳＦＰ＋等の規格に準拠した光モジュール、又は、プリント基板上に実装された光モジュール等を含んで構成される。図２に示すように、光信号送受信器１３は、データ信号送信部１３１と、光信号制御部１３２と、を含んで構成される。
【００２９】
演算処理部１１は、データの送信を要求する要求元から送信されたデータを取得する。演算処理部１１がデータを取得すると、バースト送信命令部１１１は、データ信号送信命令部１１２及び光信号制御命令部１１３に対して、それぞれ制御開始命令を出力する。
【００３０】
ここで、バースト送信命令部１１１は、データ信号送信命令部１１２へ制御開始命令を出力するタイミング、及び、光信号制御命令部１１３へ制御開始命令を出力するタイミングを調整したうえで送信する。これら２つの制御開始命令のタイミングは、フロー開始から、光信号とフレーム送信までの遅延時間を考慮して計算される。これにより、ネットワーク装置１０は、データ信号をロスなく光バースト信号によってネットワーク装置２０へ送信することができる。
【００３１】
データ信号送信命令部１１２は、制御開始命令が入力されると、要求元から送信されて送信待ちとなっているデータ（以下「送信待ちデータ」という。）に対する送信処理を開始する。なお、送信待ちデータは、演算処理部１１あるいはネットワーク装置１０の他の機能ブロックが備える一時記憶媒体（図示せず）に記憶されているものとする。データ信号送信命令部１１２は、データ信号の送信を実行させるためのデータ信号送信命令及び送信処理されたデータを、光信号送受信器１３のデータ信号送信部１３１へ向けて出力する。
【００３２】
なお、送信処理されたデータは、一般的なＥｔｈｅｒｎｅｔ（登録商標）による通信の場合と同様に、イーサネットコントローラ１２を介して光信号送受信器１３のデータ信号送信部１３１へ出力される。イーサネットコントローラ１２によって、宛先ＭＡＣアドレス及び送信元ＭＡＣアドレス等のＥｔｈｅｒｎｅｔ（登録商標）ヘッダが、データに対して付与される。Ｅｔｈｅｒｎｅｔ（登録商標）ヘッダが付与されたデータは、電気信号であるデータ信号として、イーサネットコントローラ１２からデータ信号送信部１３１へ出力される。
【００３３】
光信号制御命令部１１３は、制御開始命令が入力されると、光信号の出力の制御を実行させるための光信号制御命令を、イーサネットコントローラ１２の光信号出力制御部１２１へ出力する。
【００３４】
光信号出力制御部１２１は、上記制御命令が入力されると、入力された制御命令に応じて光信号送受信器１３の光信号制御部１３２を制御し、光信号の出力及び消光の制御を行わせる。
【００３５】
光信号制御命令部１１３は、データ信号送信命令部１１２からデータ信号送信部１３１へ出力されたデータ信号に基づいて、光信号の出力制御を行う。具体的には、光信号出力制御部１２１による制御のもと、光信号制御部１３２は、データ信号送信部１３１へ入力されたデータ信号（電気信号）の０及び１の値を踏まえて、光パルスのＯＮ／ＯＦＦの切り替えを実行する。これにより、局側のネットワーク装置２０へ向けて光信号が送信される。上記の構成により、ネットワーク装置１０は、光回線終端装置を用いずに、データ信号を光バースト信号としてネットワーク装置２０送信することができる。
【００３６】
送信待ちデータの送信が完了すると、バースト送信命令部１１１は、データ信号送信命令部１１２及び光信号制御命令部１１３に対して、それぞれ制御終了命令を示す情報を出力する。
【００３７】
上述した、バースト送信命令部１１１、データ信号送信命令部１１２及び光信号制御命令部１１３は、演算処理部１１が備えるプロセッサ（例えば、ＣＰＵ等）によって実行されるソフトウェアプログラムである。これにより、ネットワーク装置１０は、演算処理部１１によるソフトウェア制御によって、イーサネットコントローラ１２を介して、データ信号をＥｔｈｅｒｎｅｔ（登録商標）フレームとして、光バースト送信することができる。
【００３８】
［加入者側ネットワーク装置の動作］
以下、加入者側ネットワーク装置の動作について説明する。図３は、第１の実施形態に係る通信システム１の加入者側のネットワーク装置１０の動作を示すフローチャートである。
【００３９】
演算処理部１１は、データの送信を要求する要求元から送信されたデータ（送信待ちデータ）を取得する。演算処理部１１が送信待ちデータを取得すると、バースト送信命令部１１１は、データ信号送信命令部１１２及び光信号制御命令部１１３に対して、制御開始命令を、それぞれ出力タイミングを調整したうえで出力する（ＡＣＴ０１）。
【００４０】
データ信号送信命令部１１２は、制御開始命令が入力されると、送信待ちデータを示すデータ信号の送信処理を開始する（ＡＣＴ０２）。
【００４１】
光信号制御命令部１１３は、制御開始命令が入力されると、光信号の出力の制御を実行させるための光信号制御命令を、イーサネットコントローラ１２の光信号出力制御部１２１へ出力する。光信号出力制御部１２１は、上記制御命令が入力されると、入力された制御命令に応じて光信号送受信器１３の光信号制御部１３２を制御し、光信号の出力及び消光の制御処理を開始する。（ＡＣＴ０３）。
【００４２】
送信待ちデータのデータ送信が完了していない場合（ＡＣＴ０４・ＮＯ）、送信処理を継続する。データ送信が完了した場合（ＡＣＴ０４・ＹＥＳ）、バースト送信命令部１１１は、データ信号送信命令部１１２及び光信号制御命令部１１３に対して、それぞれ制御終了命令を示す情報を出力する（ＡＣＴ００５）。
以上で図３のフローチャートに示すネットワーク装置１０による処理が終了する。
【００４３】
＜第２の実施形態＞
以下、本発明の第２の実施形態について、図面を参照しながら説明する。
【００４４】
［加入者側ネットワーク装置の機能構成］
以下、加入者側ネットワーク装置の機能構成について説明する。図４は、第２の実施形態に係る通信システムの加入者側のネットワーク装置１０ａの機能構成を示すブロック図である。なお、第２の実施形態に係る通信システムの全体構成図は、上述した第２の実施形態に係る通信システムの全体構成図と同様であるため、説明を省略する。
【００４５】
ネットワーク装置１０ａと、図２に機能構成を示した第１の実施形態に係るネットワーク装置１０との機能的な相違点は、ネットワーク装置１０ａではイーサネットコントローラ１２ａが光信号出力制御部１２１を備えておらず、演算処理部１１ａが、光信号出力制御部１１４を備える点である。
【００４６】
第２の実施形態に係るネットワーク装置１０ａでは、イーサネットコントローラ等を介して間接的に光信号制御部１３２を制御するのではなく、演算処理部１１ａが、光信号制御部１３２を直接制御することによって、光信号の出力及び消光の制御を行う。
【００４７】
＜第３の実施形態＞
以下、本発明の第３の実施形態について、図面を参照しながら説明する。
【００４８】
［加入者側ネットワーク装置の機能構成］
以下、加入者側ネットワーク装置の機能構成について説明する。図５は、第３の実施形態に係る通信システムの加入者側のネットワーク装置１０ｂの機能構成を示すブロック図である。なお、第３の実施形態に係る通信システムの全体構成図は、上述した第２の実施形態に係る通信システムの全体構成図と同様であるため、説明を省略する。
【００４９】
ネットワーク装置１０ｂと、図２に機能構成を示した第１の実施形態に係るネットワーク装置１０との機能的な相違点は、ネットワーク装置１０ｂが、光信号出力制御部１４１を備えた外部制御回路１４を備える一方で、イーサネットコントローラ１２ｂが光信号出力制御部を備えない点である。
【００５０】
外部制御回路１４は、演算処理部１１及び光信号送受信器１３と入出力インターフェイスを介して接続可能な集積回路である。外部制御回路１４は、例えば、ＦＰＧＡ（Field-Programmable Gate Array）ボード等を含んで構成される。また、光信号出力制御部１４１は、外部制御回路１４に実装された機能である。光信号出力制御部１４１は、光信号制御命令部１１３から制御命令が入力されると、入力された制御命令に応じて光信号送受信器１３の光信号制御部１３２を制御し、光信号の出力及び消光の制御を行わせる。
【００５１】
なお、Ｅｔｈｅｒｎｅｔ（登録商標）におけるＰＨＹ層（物理層）とＭＡＣ層のプロトコルの処理は、イーサネットコントローラ１２ｂにおいて行われる。このように、第１の実施形態とは異なり、第３の実施形態に係る通信システムの加入者側のネットワーク装置１０ｂにおいては、Ｅｔｈｅｒｎｅｔ（登録商標）として通信を実現する機能はイーサネットコントローラ１２ｂに実装され、光信号の出力及び消光の制御については外部制御回路１４によって行われる。
【００５２】
第３の実施形態に係るネットワーク装置１０ｂでは、光信号制御命令部１１３は、外部制御回路１４の光信号出力制御部１４１を介して光信号制御部１３２を制御することによって、光信号の出力及び消光の制御を行う。
【００５３】
以上説明したように、上述した実施形態に係る加入者側のネットワーク装置１０（１０ａ，１０ｂ）は、複数のネットワーク装置１０（１０ａ，１０ｂ）（送信装置）が光ＴＤＭＡ方式（時分割多元接続方式）による通信によって光バースト信号を局側のネットワーク装置２０（受信装置）へ送信する通信システム１（光アクセスシステム）における加入者側のネットワーク装置１０（１０ａ，１０ｂ）である。加入者側のネットワーク装置１０（１０ａ，１０ｂ）は、要求元の命令に基づいてデータ信号の送信処理を制御するためのデータ信号送信命令（第１命令）を出力するデータ信号送信命令部１１２と、要求元の命令に基づいて光信号の出力処理を制御するための光信号制御命令（第２命令）を出力する光信号制御命令部１１３と、データ信号送信命令と光信号制御命令との出力タイミングを調整するバースト送信命令部１１１（命令出力調整部）とを有する演算処理部１１を備える。
【００５４】
ここで、バースト送信命令部１１１、データ信号送信命令部１１２及び光信号制御命令部１１３は、上述したように、演算処理部１１が備えるプロセッサによって実行されるソフトウェアプログラムである。これにより、ネットワーク装置は、演算処理部で処理されるソフトウェア制御によって、イーサネットコントローラを介して、データ信号をＥｔｈｅｒｎｅｔ（登録商標）フレームとして光バースト送信することができる。
【００５５】
上記の構成により、上述した実施形態に係る加入者側のネットワーク装置１０（１０ａ，１０ｂ）は、光回線終端装置向け集積回路を用いずに光ＴＤＭＡ方式の通信を行うことができ、データ信号をロスなく光バースト信号によって送信することができる。
【００５６】
なお、本発明の特徴を分かり易く説明するため、上記において、ネットワーク装置１０（１０ａ，１０ｂ）を「送信装置」、及び、ネットワーク装置２０を「受信装置」と記載している。しかしながら、上述した実施形態に係る通信システムは、複数のネットワーク装置１０と単一のネットワーク装置２０とがＰＯＮトポロジで接続された一般的なネットワークシステムであり、ネットワーク装置２０側からネットワーク装置１０（１０ａ，１０ｂ）への通信も当然可能である。
【００５７】
以上、この発明の実施形態について図面を参照して詳述してきたが、具体的な構成はこの実施形態に限られるものではなく、この発明の要旨を逸脱しない範囲の設計等も含まれる。
【００５８】
なお、上述した実施形態におけるネットワーク装置１０（１０ａ，１０ｂ）の一部または全部をコンピュータで実現するようにしてもよい。その場合、この制御機能を実現するためのプログラムをコンピュータ読み取り可能な記録媒体に記録して、この記録媒体に記録されたプログラムをコンピュータシステムに読み込ませ、実行することによって実現してもよい。
なお、ここでいう「コンピュータシステム」とは、ネットワーク装置１０（１０ａ，１０ｂ）に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【００５９】
さらに「コンピュータ読み取り可能な記録媒体」とは、インターネット等のネットワークや電話回線等の通信回線を介してプログラムを送信する場合の通信回線のように、短時間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであっても良く、さらに前述した機能をコンピュータシステムにすでに記録されているプログラムとの組み合わせで実現できるものであってもよい。
【００６０】
また、上述した実施形態におけるネットワーク装置１０（１０ａ，１０ｂ）の一部または全部を、ＬＳＩ（Large Scale Integration）等の集積回路として実現してもよい。ネットワーク装置１０（１０ａ，１０ｂ）の各機能ブロックは個別にプロセッサ化してもよいし、一部、または全部を集積してプロセッサ化してもよい。また、集積回路化の手法はＬＳＩに限らず専用回路、または汎用プロセッサで実現してもよい。また、半導体技術の進歩によりＬＳＩに代替する集積回路化の技術が出現した場合、当該技術による集積回路を用いてもよい。
【符号の説明】
【００６１】
１…通信システム、１０，１０ａ，１０ｂ…ネットワーク装置、１１…演算処理部、１２，１２ａ，１２ｂ…イーサネットコントローラ、１３…光信号送受信器、１４…外部制御回路、１５…光分岐部、２０…ネットワーク装置、１１１…バースト送信命令部、１１２…データ信号送信命令部、１１３…光信号制御命令部、１２１…光信号出力制御部、１３１…データ信号送信部、１３２…光信号制御部、１４１…光信号出力制御部
【図１】
2019153889.tif 000003
【図２】
2019153889.tif 000004
【図３】
2019153889.tif 000005
【図４】
2019153889.tif 000006
【図５】
2019153889.tif 000007
【図６】
2019153889.tif 000008
【図７】
2019153889.tif 000009